(57)【要約】【課題】  医療現場において、医療従事者自身が容易にメンテナンスをすることができる医療用スプレーの提供。【解決手段】  開閉弁９を、軸部14とその周りに被嵌した押込み端15とキャップ17とで構成し、そのキャップ17がシリンダ５の第３開口６に着脱自在に螺着され、その離脱により開閉弁９をシリンダ５から単独で分離できるようにする。【選択図】        図８
2013230196.tif 000002
【特許請求の範囲】
【請求項１】
一端にヘッド(1)を有するスプレー本体(2) と、その本体(2) の他端に設けた第１開口(3)と、
そのヘッド(1)の先端に設けた第２開口(4)と、その本体(2) の中間に設けたシリンダ(5)と、そのシリンダ(5)の後端に設けた第３開口(6)と、そのシンリンダ(5)の中間に設けたカプラ(7)と、
前記第１開口(3)に着脱自在に取付られる薬液タンク(12)と、
前記第２開口(4)に着脱自在に取り付けられるスプレーノズル(8)と、
前記第３開口(6)に着脱自在に取付られるピストン型のエアーの開閉弁(9)と、
その開閉弁(9)を開閉する操作レバー(10)と、
前記薬液タンク(12)に一端が連通し、他端がヘッド(1)に連通する薬液吸い上げ用のパイプ(13)と、を具備し、
前記カプラ(7)に空気圧源が着脱自在に接続され、
前記開閉弁(9)は、軸部(14)と、その軸部(14)の回りに設けた弁部(16)と、その軸部(14)の後端に設けた押込み端(15)と、押込み端(15)と弁部(16)との間に位置し、中心がその軸部(14)を貫通するキャップ(17)と、を有し、
前記キャップ(17)が前記シリンダ(5)の第３開口(6)に螺着され、そのキャップの取外しで、開閉弁(9)のみがシリンダ(5)から単独で着脱自在に分離できるように構成して、その開閉弁(9)を清掃できるようにしたことを特徴とする医療用スプレー。
【請求項２】
請求項１に記載の医療用スプレーにおいて、
前記シリンダ(5)は、前記ヘッド(1)および薬液タンク(12)に連通する供給路(18)と、開閉弁(9)が挿入される弁室(19)とを有し、弁室(19)とカプラ(7)とが連通すると共に、弁室(19)と供給路(18)とが連通し、前記開閉弁(9)の軸部(14)をその軸線方向の先端側に移動することにより、弁部(16)を介してカプラ(7)と供給路(18)とが連通するように形成された医療用スプレー。
【請求項３】
請求項１または請求項２において、
前記弁部(16)の外周に、軸方向に離間して一対の第１シールリング(20)および第２シールリング(21)が被嵌され、弁部(16)の中心を前記軸部(14)がその軸線方向に移動自在に貫通する貫通路(22)を有し、その貫通路(22)と前記供給路(18)とが連通され、前記軸部(14)の先端部外周に第３シールリング(23)が被嵌され、その第３シールリング(23)がスプリング(24)を介して弁部(16)の先端に圧接して前記貫通路(22)を閉塞し、前記操作レバー(10)を介して、前記軸部(14)をその先端側に移動することにより、カプラ(7)と供給路(18)とを連通するように構成した医療用スプレー。
【発明の詳細な説明】
【技術分野】
【０００１】
本発明は、主として耳鼻咽喉科の治療に使用される医療用スプレーに関し、特にそのメンテナンスを医療従事者自身で簡単に行なえるようにしたものに関する。
【背景技術】
【０００２】
図10は、従来型の医療スプレーである。
この医療用スプレーは、スプレー本体２の一端に設けたヘッド１の開口にスプレーノズル８が取付けられる。そして、スプレー本体２の他端に薬液タンク12が取付けられる。スプレー本体２の中間部には開口30が設けられ、そこにシリンダ５が着脱自在に取付けられる。シリンダ５には開閉弁９が設けられている。
【０００３】
その開閉弁９は、シリンダ５と軸部14と、押込み端15とを有し、座31に一端が着座されたスプリング24の他端が、弁部16を図において右方に付勢している。その弁部16が収納される弁室19にはカプラ７が連通し、そのカプラ７にエアーホース11が接続され、その他端が図示しないコンプレッサ等の圧縮エアー源に接続される。そして、薬液タンク12内の薬液をエアーとともにスプレーノズル８の先端から霧状に噴出するものである。
【０００４】
即ち、押込み端15を左方に押すことにより、エアーホース11、カプラ７、弁室19を介して、ヘッド１の開口30に圧縮エアーを導き、薬液タンク12内の薬液を加圧するとともに、圧縮エアーをスプレーノズル８先端から噴出させる。薬液タンク12内の薬液は、圧縮空気の加圧により、パイプ13を介してスプレーノズル８に供給され、エアーとともにそれが噴出するものである。
【先行技術文献】
【特許文献】
【０００５】
【特許文献１】特開平０８−３１７９７７号公報
【特許文献２】特開平０５−００３８８６号公報
【特許文献３】特開２００６−２８８７２５号公報
【発明の概要】
【発明が解決しようとする課題】
【０００６】
このような医療用スプレーは、開閉弁９のＯＮ−ＯＦＦにともない、薬液タンク12内の薬液が僅かづつ、開閉弁９の軸部14と貫通路22との間から外部に漏れる。そして、それが結晶化し、シリンダ５の外面と押込み端15との間に僅かづつ堆積する。その堆積量が多くなると、押込み端15の操作に支障が生じる。それとともに、衛生上好ましくない。そのため、その清掃が必要である。
【０００７】
従来は、特殊な工具を使用し、シリンダ５とヘッド１との接続部を分離し清掃を行なっていた。しかしながら、その分離は慎重に行なう必要があり、医療現場において医療従事者が直接それを行なうことはできなかった。
そこで、本発明は医療従事者が容易に且つ、しばしば清掃することができるメンテナンス性のよい医療用スプレーを提供することを課題とする。
【課題を解決するための手段】
【０００８】
請求項１に記載の本発明は、一端にヘッド(1)を有するスプレー本体(2) と、その本体(2) の他端に設けた第１開口(3)と、
そのヘッド(1)の先端に設けた第２開口(4)と、その本体(2) の中間に設けたシリンダ(5)と、そのシリンダ(5)の後端に設けた第３開口(6)と、そのシンリンダ(5)の中間に設けたカプラ(7)と、
前記第１開口(3)に着脱自在に取付られる薬液タンク(12)と、
前記第２開口(4)に着脱自在に取り付けられるスプレーノズル(8)と、
前記第３開口(6)に着脱自在に取付られるピストン型のエアーの開閉弁(9)と、
その開閉弁(9)を開閉する操作レバー(10)と、
前記薬液タンク(12)に一端が連通し、他端がヘッド(1)に連通する薬液吸い上げ用のパイプ(13)と、を具備し、
前記カプラ(7)に空気圧源が着脱自在に接続され、
前記開閉弁(9)は、軸部(14)と、その軸部(14)の回りに設けた弁部(16)と、その軸部(14)の後端に設けた押込み端(15)と、押込み端(15)と弁部(16)との間に位置し、中心がその軸部(14)を貫通するキャップ(17)と、を有し、
前記キャップ(17)が前記シリンダ(5)の第３開口(6)に螺着され、そのキャップ(17)の取外しで、開閉弁(9)のみがシリンダ(5)から単独で着脱自在に分離できるように構成して、その開閉弁(9)を清掃できるようにしたことを特徴とする医療用スプレーである。
【０００９】
請求項２に記載の本発明は、請求項１に記載の医療用スプレーにおいて、
前記シリンダ(5)は、前記ヘッド(1)および薬液タンク(12)に連通する供給路(18)と、開閉弁(9)が挿入される弁室(19)とを有し、弁室(19)とカプラ(7)とが連通すると共に、弁室(19)と供給路(18)とが連通し、前記開閉弁(9)の軸部(14)をその軸線方向の先端側に移動することにより、弁部(16)を介してカプラ(7)と供給路(18)とが連通するように形成された医療用スプレーである。
【００１０】
請求項３に記載の本発明は、請求項１または請求項２において、
前記弁部(16)の外周に、軸方向に離間して一対の第１シールリング(20)および第２シールリング(21)が被嵌され、弁部(16)の中心を前記軸部(14)がその軸線方向に移動自在に貫通する貫通路(22)を有し、その貫通路(22)と前記供給路(18)とが連通され、前記軸部(14)の先端部外周に第３シールリング(23)が被嵌され、その第３シールリング(23)がスプリング(24)を介して弁部(16)の先端に圧接して前記貫通路(22)を閉塞し、前記操作レバー(10)を介して、前記軸部(14)をその先端側に移動することにより、カプラ(7)と供給路(18)とを連通するように構成した医療用スプレーである。
【発明の効果】
【００１１】
本発明の医療用スプレーは、その開閉弁９が、軸部14と、その軸部14の回りに設けた弁部16と、その軸部14を貫通するキャップ17とを有する。そして、そのキャップ17がシリンダ５の第３開口６に着脱自在に螺着され、その離脱により、開閉弁９をシリンダ５から単独で分離できる。
そのため、必要最小限の部品の着脱で、医療用スプレーのメンテナンスを行うことができる。従って、医療の現場で、医療従事者自身が医療用スプレーをメンテナンスすることが可能となり、常に手入れの行き届いた医療用スプレーを使用することができる。
【図面の簡単な説明】
【００１２】
【図１】本発明の医療用スプレーの縦断面図であって、図２のＩ−Ｉ矢視断面図。
【図２】図１の左側面図。
【図３】図１のIII部拡大図、その（Ａ）は軸部14が右に位置し、弁の閉止状態であり（Ｂ）は軸部14が左に位置し、弁の開放状態である。
【図４】図１のIV部拡大図。
【図５】図１のＶ部拡大図。
【図６】図１のVI部拡大図。
【図７】図４のVII-VII矢視断面図。
【図８】開閉弁９をスプレー本体２のシリンダ５から分離した状態を示す説明図。
【図９】図８の左側面図。
【図１０】従来型医療用スプレーの断面図。
【発明を実施するための形態】
【００１３】
次に、図面に基づいて、本発明の実施の形態につき説明する。
この医療用スプレーは、スプレー本体２とスプレーノズル８と薬液タンク12と開閉弁９とを有する。スプレー本体２は、図８に示すごとく、一端にヘッド１を有し、他端に第１開口３を有する。そのヘッド１の先端には、第２開口４が形成されている。
【００１４】
スプレー本体２の中間部には、シリンダ５が後方へ突設され、その内部に供給路18と弁室19が並列されている。弁室19の後端は第３開口６が形成され、弁室19の中間部にカプラ７が連通する。そして、この弁室19に開閉弁９が挿脱自在に挿入されるものである。
この開閉弁９は、第３開口６から挿入され、弁室19内に配置される。そして、開閉弁９のキャップ17を第３開口６の開口に着脱自在に螺着することにより、開閉弁９を単独でシリンダ５に接続し、またそれか分離できるものである。
【００１５】
開閉弁９は、後端に押込み端15を有する軸部14と、その外周に被嵌される弁部16とキャップ17とを有する。弁部16には軸部14の外周よりもわずかに大なる貫通路22が設けられている。また、キャップ17にも軸部14よりわずかに大なる貫通孔が形成されている。弁部16の外周には、軸方向に離間して一対の第１シールリング20と、第２シールリング21とが設けられ、それらの間に連通孔32が軸方向に直交して貫通し、それが貫通路22と連通する。
【００１６】
軸部14の先端には第３シールリング23が被嵌され、それが貫通路22を開閉自在に閉塞する。シリンダ５の外周には、ボス部33が突設され、それに操作レバー10の一端が軸支されている。そして、開閉弁９が図１、図３に示すごとく、スプリング24を介して弁室19内に挿入され、キャップ17を第３開口６の外周に螺着することにより、開閉弁９を弁室19内に収納する。
【００１７】
カプラ７には、図１のごとく、エアーホース11の一端が接続され、その他端がケーシング34に連通する。このエアーホース11は、図示しないコンプレッサ等のエアー源に接続される。
ケーシング34は、薬液タンク12の外周を被嵌する。その薬液タンク12の開口端は、スプレー本体２の第１開口３に着脱自在に螺着される。
【００１８】
次に、スプレー本体２のヘッド１の第２開口４には、スプレーノズル８の基部が着脱自在に接続される。その状態を示すのが図４である。このスプレーノズル８は、外管8aと内管8bとが同芯に配置されている。内管8b内には薬液が流通し、外管8a内には空気孔35を介して空気が供給される。そして、スプレーノズル８の先端にノズル端26（図６）が設けられ、その液路28と内管8bが連通するとともに、エアー路27と外管8a内が連通する。そして、液路28からの薬液と、エアー路27からの空気とが同時に噴射孔29より外部に噴射される。
【００１９】
（作用）
図１において、薬液タンク12内に図示しない薬液が存在するとき、操作レバー10を右回転すると、それに接触する開閉弁９の押込み端15が左方に押される。その状態は図３ (Ａ)から図３(Ｂ)になる。すると、軸部14先端の第３シールリング23が弁部16の貫通路22から離反する。そして、カプラ７と貫通路22と連通孔32と供給路18とが連通する。すると、その空気圧が接続パイプ13ａの外周とそれが挿入された筒部との隙間から孔36を介し、薬液タンク12内に導かれ、薬液タンク12内の図示しない液体に圧力を加え、薬液をパイプ13、接続パイプ13aを介し、スプレーノズル８の内管8bに導く。
【００２０】
また、圧縮空気はヘッド１の内部から空気孔35を介し、外管8a内に導かれ、図６のエアー路27を介し、噴射孔29から薬液とともに噴出する。操作レバー10の押圧力を解放すると、スプリング24によって、軸部14が右方に移動し、操作レバー10が左回動する。そして、その第３シールリング23が貫通路22を閉塞し、スプレーノズル８からの薬液の噴射を停止する。
【００２１】
その停止の際に、ヘッド１の加圧空気は、図３において、供給路18の孔37から連通孔32を介し、弁部16の貫通孔と軸部14との隙間よりキャップ17の外部に流出する。このとき、その空気が薬液タンク12内またはスプレーノズル８内の薬液をわずかに引込み、それがキャップ17の外部に漏れ出る。そして、それが空気に触れて、その固形分が結晶する。その結晶した薬液が堆積すると、やがて押込み端15を左方へ移動することが困難になる。
【００２２】
そこで、このとき、キャップ17を軸部14の周りに回転させ、それを外す。それにより、開閉弁９全体をシリンダ５から、右方へ単独で分離することができる。そして、この開閉弁９を洗浄することにより、薬液の結晶分を容易に取除き、洗浄することができる。
【符号の説明】
【００２３】
１  ヘッド
２  スプレー本体
３  第１開口
４  第２開口
５  シリンダ
６  第３開口
７  カプラ
８  スプレーノズル
8a  外管
8b  内管
９  開閉弁
【００２４】
10  操作レバー
11  エアーホース
12  薬液タンク
13  パイプ
13a 接続パイプ
14  軸部
15  押込み端
16  弁部
17  キャップ
18  供給路
【００２５】
19  弁室
20  第１シールリング
21  第２シールリング
22  貫通路
23  第３シールリング
24  スプリング
26  ノズル端
27  エアー路
【００２６】
28  液路
29  噴射孔
30  開口
31  座
32  連通孔
33  ボス部
34  ケーシング
35  空気孔
36  孔
37  孔
【図１】
2013230196.tif 000003
【図２】
2013230196.tif 000004
【図３】
2013230196.tif 000005
【図４】
2013230196.tif 000006
【図５】
2013230196.tif 000007
【図６】
2013230196.tif 000008
【図７】
2013230196.tif 000009
【図８】
2013230196.tif 000010
【図９】
2013230196.tif 000011
【図１０】
2013230196.tif 000012